(57)【要約】本開示のストッカは、物品を収容し施錠及び解錠可能である納品庫と、操作者によるタッチ操作が可能な縦長の表示部を有する表示装置と、操作者の高さを検出する検出部と、検出された操作者の高さが第１範囲よりも低い第２範囲であるときには、操作画面を表示部の下部領域に表示させると共に操作画面と異なる第２画面を表示部の上部領域に表示させる一方、検出された操作者の高さが第１範囲であるときには、操作画面を表示部の上部領域に表示させると共に第２画面を表示部の下部領域に表示させる。
2020090083.tif 000002
【特許請求の範囲】
【請求項１】
物品を収容し施錠及び解錠可能である納品庫と、
操作者によるタッチ操作が可能な縦長の表示部と、
操作者の高さを検出する検出部と、
検出された前記操作者の高さが第１範囲よりも低い第２範囲であるときには、操作画面を前記表示部の下部領域に表示させると共に前記操作画面と異なる第２画面を前記表示部の上部領域に表示させる一方、検出された前記操作者の高さが前記第２範囲より高い第１範囲であるときには、前記操作画面を前記表示部の上部領域に表示させると共に前記第２画面を前記表示部の下部領域に表示させる制御部と、
を備えたストッカ。
【請求項２】
前記制御部は、前記操作画面の操作に関する案内画面と、宣伝を表示する宣伝画面と、のうち少なくとも一方を前記第２画面として前記表示部に表示させる、請求項１に記載のストッカ。
【請求項３】
前記制御部は、検出された前記操作者の高さが前記第１範囲と前記第２範囲との間の第３範囲であるときには、前記操作画面を前記表示部の中央領域に表示させると共に前記第２画面を分割して前記上部領域と前記下部領域とに表示させる、請求項１又は２に記載のストッカ。
【請求項４】
前記制御部は、前記操作者の身長が１５０ｃｍ以下の範囲を含む前記第１範囲と、前記操作者の身長が１８０ｃｍ以上の範囲を含む前記第２範囲とを用いて前記操作画面を表示部に表示させる、請求項１〜３のいずれか１項に記載のストッカ。
【請求項５】
物品を収容し施錠及び解錠可能である納品庫と、操作者によるタッチ操作が可能な縦長の表示部とを備えるストッカの制御方法であって、
（ａ）操作者の高さを検出するステップと、
（ｂ）検出された前記操作者の高さが第１範囲よりも低い第２範囲であるときには、操作画面を前記表示部の下部領域に表示させると共に前記操作画面と異なる第２画面を前記表示部の上部領域に表示させる一方、検出された前記操作者の高さが前記第２範囲より高い第１範囲であるときには、前記操作画面を前記表示部の上部領域に表示させると共に前記第２画面を前記表示部の下部領域に表示させるステップと、
を含むストッカの制御方法。
【請求項６】
物品を収容し施錠及び解錠可能である納品庫と、操作者の高さを検出する検出部とを備え、操作者の操作を受け付けて前記納品庫を解錠するストッカに用いられ、操作者によるタッチ操作が可能な縦長の表示部を有する表示装置であって、
検出された前記操作者の高さが第１範囲よりも低い第２範囲であるときには、操作画面を前記表示部の下部領域に表示させると共に前記操作画面と異なる第２画面を前記表示部の上部領域に表示させる一方、検出された前記操作者の高さが前記第２範囲より高い第１範囲であるときには、前記操作画面を前記表示部の上部領域に表示させると共に前記第２画面を前記表示部の下部領域に表示させる、
表示装置。
【発明の詳細な説明】
【技術分野】
【０００１】
本明細書は、ストッカ、ストッカの制御方法及び表示装置を開示する。
【背景技術】
【０００２】
従来、表示装置としては、例えば、大型液晶ディスプレイとタッチパネルを装備し、子供や車いすを利用する利用者などに配慮し、商品の表示位置を変える機能を有するものが提案されている（例えば、特許文献１参照）。この表示装置では、画面を切り替えることにより様々な情報を表示させ、また、装置前面の全体に形成された大型ディスプレイにより、画面の表示領域に制限なく、表示位置を変えることができる。
【先行技術文献】
【特許文献】
【０００３】
【特許文献１】特開２０１１−１１８８０７号公報
【発明の概要】
【発明が解決しようとする課題】
【０００４】
ところで、特許文献１のような大型ディスプレイを有しない表示装置では、比較的限られた領域内において、タッチ操作する操作画面や操作の案内画面などを表示することがある。しかしながら、そのような表示については、特許文献１に記載の表示装置では、考慮されていなかった。このように、表示装置では、限られた表示部の領域内において操作性を高めつつ情報を提供することが求められていた。【０００５】
本開示は、このような課題を解決するためになされたものであり、限られた表示部の領域内において操作性を高めつつ情報を提供することができるストッカ、ストッカの制御方法及び表示装置を提供することを主目的とする。【０００６】
本開示のストッカ、ストッカの制御方法及び表示装置は、上述の主目的を達成するために以下の手段を採った。【０００７】
本開示のストッカは、
物品を収容し施錠及び解錠可能である納品庫と、
操作者によるタッチ操作が可能な縦長の表示部と、
操作者の高さを検出する検出部と、
検出された前記操作者の高さが第１範囲よりも低い第２範囲であるときには、操作画面を前記表示部の下部領域に表示させると共に前記操作画面と異なる第２画面を前記表示部の上部領域に表示させる一方、検出された前記操作者の高さが前記第２範囲より高い第１範囲であるときには、前記操作画面を前記表示部の上部領域に表示させると共に前記第２画面を前記表示部の下部領域に表示させる制御部と、
を備えたものである。【０００８】
このストッカでは、操作者の高さがより低い第２範囲であるときには、操作画面を表示部の下部領域に表示させると共に操作画面と異なる第２画面を表示部の上部領域に表示させる。一方、このストッカでは、操作者の高さがより高い第１範囲であるときには、操作画面を表示部の上部領域に表示させると共に第２画面を表示部の下部領域に表示させる。このストッカでは、操作者の操作しやすい位置に操作画面が表示され、且つ残りの領域に他の画面が表示されるため、限られた表示部の領域内において操作性を高めつつ情報を提供することができる。
【図面の簡単な説明】
【０００９】
【図１】ストッカシステム１０の一例を表す概略説明図。
【図２】制御ユニット３０の正面図。
【図３】画面表示処理ルーチンの一例を表すフローチャート。
【図４】身長の異なる操作者ＭＬ，ＭＨと入力画面５０の説明図。
【図５】別の画面表示処理ルーチンの一例を表すフローチャート。
【図６】身長の異なる操作者ＭＬ，ＭＨ，ＭＭと入力画面５０の説明図。
【図７】別の入力画面５０Ｂの説明図。
【発明を実施するための形態】
【００１０】
本開示の実施形態を図面を用いて説明する。図１は、ストッカシステム１０の一例を表す概略説明図である。図２は、制御ユニット３０の正面図である。なお、本実施形態において、左右方向、前後方向及び上下方向は、各図に示した通りとする。ストッカシステム１０は、１又は２以上のストッカ１１と、ストッカ管理装置１２とを備えている。なお、図１では、ストッカ１１を１つだけ示した。ストッカ管理装置１２は、ネットワーク１３を介してストッカ１１と情報のやりとりを行うサーバとして構成されている。このストッカ管理装置１２は、ストッカ１１の利用状況などを管理する。
【００１１】
ストッカ１１は、図１に示すように、物品を収容可能な箱状の複数の納品庫２０と、各納品庫２０への物品の納入や取り出しに関する各種操作を受け付けたり各納品庫２０の施錠や解錠に関する各種処理を行ったりする制御ユニット３０とを備える。ストッカ１１は、上下に複数個（図１では４個）ずつの納品庫２０が左右に複数列（図１では５列）並んで配置されており、左端の列の１つの納品庫２０に代えて制御ユニット３０が配置されている。このストッカ１１は、オフィスやコンビニエンスストア、駅、学校、マンション、ショッピングセンタなど様々な場所に設置され、屋内だけでなく屋外にも設置可能に構成されている。ストッカ１１は、いずれかの納品庫２０を配達先として配達者（納入者）により物品が納入された後に、受取者がこの納品庫２０から物品を取り出して物品を受け取ることで、配達者により配達される物品の受け渡しに用いられる。また、ストッカ１１は、所定の集荷業者が集荷に来るよう定められ、一般の利用者が物品を所望の目的地へ発送する際にも用いられる。更に、ストッカ１１は、物品を一時保管するコインロッカーとしても用いられる。
【００１２】
納品庫２０は、図１に示すように、直方体状の本体を有しており、この本体に開閉可能に取り付けられる矩形板状の扉２１を備えている。納品庫２０は、扉２１を開いて本体内の空間に物品を納入可能となっている。
【００１３】
制御ユニット３０は、図１に示すように、各納品庫２０と同じサイズの直方体状の本体３０ａと、本体３０ａの前面を覆い各種機器が取り付けられる前面パネル３１と、本体３０ａ内の空間に配置される制御部３２とを備える。制御部３２は、ＣＰＵ４２、記憶部４３、通信部４４などにより構成され装置全体の制御を司るものである。記憶部４３は、各種アプリケーションプログラムや各種データファイルを記憶するものである。通信部４４は、ストッカ管理装置１２などの外部機器と通信を行うものである。前面パネル３１に配設される各種機器としては、図１，２に示すように、板面中央に配置される長方形状のタッチパネル３３と、タッチパネル３３の右側に配置されるカードリーダ３４、コードリーダ３５および受領印モジュール３６と、タッチパネル３３の左側に配置されるカメラモジュール３７、シリンダ錠３８、人感センサ３９及び音声ユニット４０などがある。
【００１４】
タッチパネル３３は、タッチ操作が可能な長方形状の表示部を有している。このタッチパネル３３は、図２に示すように、表示部の長辺Ｌと短辺Ｓとの比率であるアスペクト比が例えば１６：９や４：３などとなっている。タッチパネル３３は、長辺Ｌが上下方向となる縦長の向きで配置されている。タッチパネル３３の表示部の長辺Ｌは、例えば、２０〜４５ｃｍ、短辺Ｓは、１０〜３０ｃｍとするものとしてもよい。また、タッチパネル３３は、操作者が立つ地面から表示部の底辺までの高さが８０〜１４０ｃｍの範囲としてもよい。この範囲では、様々な身長の操作者が表示画面を視認し、操作しやすい。このタッチパネル３３は、例えば、物品の納入や取り出しに関する入力操作などを受け付ける操作画面５１や、物品の納入や取り出しに関する操作案内などを表示する案内画面としての第２画面５２などを表示部に表示する。このタッチパネル３３では、操作画面５１や第２画面５２は、操作者の高さ（身長）に応じて、表示部の下部領域４５及び上部領域４６のいずれかに表示される。
【００１５】
カードリーダ３４、コードリーダ３５および受領印モジュール３６は、前面パネル３１におけるタッチパネル３３の右側に上方から下方に向かってこの順で配置されている。カードリーダ３４は、例えば物品の配達者や受取者の識別情報などが登録されたＩＣカードなどを読み取るものである。コードリーダ３５は、例えば物品の配達伝票や受取者の携帯端末などに示された各種コードを読み取るものである。受領印モジュール３６は、例えば物品の配達伝票などに受領印を押印可能なスタンプユニットである。なお、制御部３２は、配達者による納品庫２０への納品が完了した際に受領印モジュール３６に配達伝票の挿入を促す案内画面をタッチパネル３３に表示し、配達伝票が挿入されると受領印を押印するように受領印モジュール３６を制御する。
【００１６】
カメラモジュール３７、音声ユニット４０、シリンダ錠３８及び人感センサ３９は、前面パネル３１におけるタッチパネル３３の左側に上方から下方に向かってこの順で配置されている。カメラモジュール３７は、ストッカ１１の前方の所定範囲を撮像可能に配置され、配達者や受取者などの被写体を含む画像を撮像する。このカメラモジュール３７は、撮像画像から操作者の高さを検出可能に構成されている。「操作者の高さ」とは、操作位置の基準となるものであり、例えば、身長のほか、肩までの高さなどとしてもよい。シリンダ錠３８は、ストッカ１１の管理者などにより鍵穴に挿入された鍵の操作により前面パネル３１を解錠したり施錠したりする。前面パネル３１は、本体３０ａに開閉可能に取り付けられており、シリンダ錠３８の解錠により開操作が可能となる。人感センサ３９は、利用者の有無を検知するセンサである。音声ユニット４０は、物品の納入や取り出しに関する操作案内などを音声穴を介して音声で出力するユニットである。
【００１７】
次に、このように構成されたストッカ１１の動作、特に、操作者がタッチパネル３３により入力操作を行うときの画面の表示処理について説明する。図３は、ストッカ１１の制御部３２によって実行される画面表示処理ルーチンの一例を表すフローチャートである。このルーチンは、記憶部４３に記憶され、人感センサ３９で操作者を検知したあと制御部３２のＣＰＵ４２により実行される。このルーチンを開始すると、ＣＰＵ４２は、カメラモジュール３７で操作者を撮像し、操作者の高さ（身長）を検出する（Ｓ１００）。次に、ＣＰＵ４２は、検出した身長が第１範囲であるか、第１範囲よりも低い第２範囲であるかを判定する（Ｓ１１０）。このストッカ１１では、例えば、第１範囲は操作者の身長が１８０ｃｍ以上を含む１６５ｃｍ以上の範囲に定められる一方、第２範囲は操作者の身長が１５０ｃｍ以下を含む１６５ｃｍ未満の範囲に定められている。なお、ここでは、操作者の身長を判定する第１範囲と第２範囲との間になる閾値を１６５ｃｍとしたが、特にこれに限定されず、１６０ｃｍや１７０ｃｍなど、利用者の平均身長やタッチパネル３３の設置高さなどに応じて適宜定めるものとすればよい。
【００１８】
操作者の高さが閾値より低い第２範囲であるときには、ＣＰＵ４２は、操作画面５１を下部領域４５に表示させると共に、第２画面５２を上部領域４６に表示させる（Ｓ１２０）。一方、操作者の高さが閾値より高い第１範囲であるときには、ＣＰＵ４２は、操作画面５１を上部領域４６に表示させると共に、第２画面５２を下部領域４５に表示させる（Ｓ１３０）。図４は、身長の異なる操作者ＭＬ，ＭＨと入力画面５０の説明図である。図４に示すように、ＣＰＵ４２は、身長が高い第１範囲の操作者ＭＨでは、操作画面５１を上部領域４６に配置するため、入力しやすい位置に操作画面５１が配置され、操作者ＭＬの操作性を高めることができる。また、ＣＰＵ４２は、身長が低い第２範囲の操作者ＭＬでは、操作画面５１を下部領域４５に配置するため、入力しやすい位置に操作画面５１が配置され、操作者ＭＬの操作性を高めることができる。
【００１９】
Ｓ１２０のあと、又はＳ１３０のあと、ＣＰＵ４２は、入力が終了したか否かを、入力画面５０の入力状況に基づいて判定し（Ｓ１４０）、入力が終了していないときには、そのまま待機する。一方、入力が終了したときには、次の入力画面があるか否かを判定し（Ｓ１５０）、次の入力画面があるときには、Ｓ１１０以降の処理を実行する。即ち、ＣＰＵ４２は、Ｓ１１０で操作者の高さを確認し、Ｓ１２０，１３０で操作者の高さに合わせた位置に操作画面５１を配置した次の入力画面を表示させる。一方、Ｓ１５０で次の入力画面がないときには、ＣＰＵ４２は、そのままこのルーチンを終了する。
【００２０】
ここで、本実施形態の構成要素と本開示の構成要素との対応関係を明らかにする。本実施形態のストッカ１１が本開示のストッカに相当し、納品庫２０が納品庫に相当し、タッチパネル３３の表示部が表示部に相当し、カメラモジュール３７が検出部に相当し、制御部３２が制御部に相当し、操作画面５１が操作画面に相当し、第２画面５２が第２画面に相当する。
【００２１】
以上説明した本実施形態のストッカ１１では、操作者の高さが第１範囲より低い第２範囲であるときには、操作画面５１をタッチパネル３３（表示部）の下部領域４５に表示させると共に操作画面５１と異なる第２画面５２をタッチパネル３３の上部領域４６に表示させる。一方、このストッカ１１では、操作者の高さが第２範囲より高い第１範囲であるときには、操作画面５１をタッチパネル３３の上部領域４６に表示させると共に第２画面５２をタッチパネル３３の下部領域４５に表示させる。このストッカ１１では、操作者の操作しやすい位置に操作画面５１が表示され、且つ残りの領域に他の画面が表示されるため、限られた表示部の領域内において操作性を高めつつ情報を提供することができる。
【００２２】
また、制御部３２は、操作画面５１の操作に関する案内画面を第２画面５２としてタッチパネル３３に表示させる。このストッカ１１では、案内画面を操作画面５１と共に表示することができる。更に、制御部３２は、操作者の身長が１５０ｃｍ以下の範囲を含む１６５ｃｍ未満である第１範囲と、操作者の身長が１８０ｃｍ以上の範囲を含む１６５ｃｍ以上の第２範囲とを用いて操作画面を表示部に表示させる。このストッカ１１では、操作者の所定の高さに応じて操作画面５１と第２画面５２との位置を切り替えるものとし、操作性を高めつつ情報を提供することができる。
【００２３】
なお、本開示は上述した実施形態に何ら限定されることはなく、本開示の技術的範囲に属する限り種々の態様で実施し得ることはいうまでもない。
【００２４】
上述した実施形態では、操作者の高さが第１範囲と第２範囲とで入力画面５０の配置を切り替えるものとしたが、特にこれに限定されず、例えば、第３範囲や第４範囲など、操作者の高さの範囲をより細かく規定してもよい。ここで、第１範囲と第２範囲との間に第３範囲の操作者の高さがある場合について、具体的に説明する。図５は、別の画面表示処理ルーチンの一例を表すフローチャートである。図６は、身長の異なる操作者ＭＬ，ＭＨ，ＭＭと入力画面５０の説明図である。図５，６において、上述した実施形態で説明したものと同様の構成や処理については、同じ符号を用いてその説明を省略する。このストッカ１１では、操作者の高さの第１〜第３範囲は、タッチパネル３３のサイズや配設高さに合わせて設定されるが、例えば、第１範囲を１６０ｃｍ未満、第２範囲を１８０ｃｍ以上、第３範囲を１６０ｃｍ以上１８０ｃｍ未満としてもよい。図５に示すように、Ｓ１１０で操作者の高さが中程度の第３範囲であるときには、制御部３２は、操作画面５１をタッチパネル３３の表示部の中央領域４７に表示させると共に第２画面５２を第３画面５３と第４画面５４とに分割して、上部領域４６に第３画面５３を、下部領域４５に第４画面５４を表示させる（Ｓ２００，図６参照）。このストッカ１１では、操作画面５１が３段階の高さで表示されるため、操作者ＭＬ，ＭＭ，ＭＨなどの高さに細やかに対応することができ、操作者は、より操作がしやすい。
【００２５】
上述した実施形態では、第２画面５２が操作画面５１を案内する案内画面であるものとしたが、操作画面５１と異なるものとすれば特にこれに限定されず、例えば、第２画面が宣伝を表示する宣伝画面であるものとしてもよいし、第２画面が案内画面及び宣伝画面のうち１以上を含むものとしてもよい。このストッカ１１では、操作性を高めつつ宣伝などの情報を提供することができる。宣伝画面としては、例えば、物品の発送サービス、コインロッカーサービス、配送サービス、ストッカ１１の配置施設の情報などストッカシステム１０に関するものとしてもよいし、協賛先の情報などストッカシステム１０に関係しない情報などとしてもよい。図７は、別の入力画面５０Ｂの説明図であり、図７Ａが操作画面５１Ｂを下部領域４５に表示した図、図７Ｂが操作画面５１Ｂを中央領域４７に表示した図、図７Ｃが操作画面５１Ｂを上部領域４６に表示した図である。図７に示すように、第２画面５２Ｂには、宣伝画面５３Ｂと案内画面５４Ｂとが含まれる。宣伝画面５３Ｂには、ストッカシステム１０の宣伝情報が表示されている。この入力画面５０Ｂでは、第１範囲の操作者ＭＬが操作する場合、操作画面５１Ｂを下部領域４５に表示する一方、第２画面５２Ｂの宣伝画面５３Ｂを上部領域４６に表示し、第２画面５２Ｂの案内画面５４Ｂを中央領域４７に表示する（図７Ａ）。また、入力画面５０Ｂでは、第２範囲の操作者ＭＨが操作する場合、操作画面５１Ｂを上部領域４６に表示する一方、第２画面５２Ｂの宣伝画面５３Ｂを下部領域４５に表示し、第２画面５２Ｂの案内画面５４Ｂを中央領域４７に表示する（図７Ｃ）。また、入力画面５０Ｂでは、第３範囲の操作者ＭＭが操作する場合、操作画面５１Ｂを中央領域４７に表示する一方、第２画面５２Ｂの宣伝画面５３Ｂを上部領域４６に表示し、第２画面５２Ｂの案内画面５４Ｂを下部領域４５に表示する（図７Ｂ）。この入力画面５０Ｂでは、操作画面５１Ｂが操作者ＭＬ，ＭＭ，ＭＨなどの高さに細やかに対応して表示されるため、操作者が操作しやすく、宣伝画面５３Ｂと案内画面５４Ｂとが画面領域のいずれかに表示されるため、様々な情報を提供することができる。なお、図５〜７では、第２画面５２，５２Ｂを分割して表示する態様で説明したが、特に分割することに限定されず、操作画面５１、第２画面５２及び第３画面５３があり、それぞれが下部領域４５、上部領域４６及び中央領域４７のいずれかに表示されるものとしてもよい。また、画面数は、１〜３に限定されず、４以上あってもよいし、画面領域も１〜３段に限定されず、４段以上あってもよい。
【００２６】
上述した実施形態では、ストッカシステム１０は、ネットワーク１３に接続されたストッカ管理装置１２を有するものとしたが、ストッカ管理装置１２やネットワーク１３を省略してもよいし、ストッカ管理装置１２の機能を制御部３２に備えるものとしてもよい。
【００２７】
上述した実施形態では、表示部を備えたストッカ１１として本開示を説明したが、特にストッカ１１に限定されず、表示部を有する表示装置としてもよい。また、上述した実施形態では、表示部を備えたストッカ１１として本開示を説明したが、特にストッカ１１に限定されず、ストッカの制御方法としてもよいし、その制御方法を実行するプログラムとしてもよい。
【００２８】
ここで、本開示のストッカは、以下のように構成してもよい。本開示のストッカにおいて、前記制御部は、前記操作画面の操作に関する案内画面と、宣伝を表示する宣伝画面と、のうち少なくとも一方を前記第２画面として前記表示部に表示させるものとしてもよい。このストッカでは、案内画面や宣伝画面を操作画面と共に表示することができる。
【００２９】
本開示のストッカにおいて、前記制御部は、検出された前記操作者の高さが前記第１範囲と前記第２範囲との間の第３範囲であるときには、前記操作画面を前記表示部の中央領域に表示させると共に前記第２画面を分割して前記上部領域と前記下部領域とに表示させるものとしてもよい。このストッカでは、操作画面が３段階の高さで表示されるため、操作者の高さに細やかに対応することができ、操作者は、より操作がしやすい。
【００３０】
本開示のストッカにおいて、前記制御部は、前記操作者の身長が１５０ｃｍ以下の範囲を含む前記第１範囲と、前記操作者の身長が１８０ｃｍ以上の範囲を含む前記第２範囲とを用いて前記操作画面を表示部に表示させるものとしてもよい。このとき、例えば、第１範囲を１６５ｃｍ未満とし第２範囲を１６５ｃｍ以上としてもよい。また、操作者の高さに第３範囲があるときは、第１範囲を１６０ｃｍ未満、第２範囲を１８０ｃｍ以上、第３範囲を１６０ｃｍ以上１８０ｃｍ未満としてもよい。
【００３１】
本開示のストッカの制御方法は、
物品を収容し施錠及び解錠可能である納品庫と、操作者によるタッチ操作が可能な縦長の表示部とを備えるストッカの制御方法であって、
（ａ）操作者の高さを検出するステップと、
（ｂ）検出された前記操作者の高さが第１範囲よりも低い第２範囲であるときには、操作画面を前記表示部の下部領域に表示させると共に前記操作画面と異なる第２画面を前記表示部の上部領域に表示させる一方、検出された前記操作者の高さが前記第２範囲より高い第１範囲であるときには、前記操作画面を前記表示部の上部領域に表示させると共に前記第２画面を前記表示部の下部領域に表示させるステップと、
を含むものである。
【００３２】
このストッカの制御方法では、上述したストッカと同様に、操作者の操作しやすい位置に操作画面が表示され、且つ残りの領域に他の画面が表示されるため、限られた表示部の領域内において操作性を高めつつ情報を提供することができる。なお、この制御方法において、上述したストッカの種々の態様を採用してもよいし、また、上述したストッカの各機能を実現するような構成を追加してもよい。
【００３３】
本開示の表示装置は、
物品を収容し施錠及び解錠可能である納品庫と、操作者の高さを検出する検出部とを備え、操作者の操作を受け付けて前記納品庫を解錠するストッカに用いられ、操作者によるタッチ操作が可能な縦長の表示部を有する表示装置であって、
検出された前記操作者の高さが第１範囲よりも低い第２範囲であるときには、操作画面を前記表示部の下部領域に表示させると共に前記操作画面と異なる第２画面を前記表示部の上部領域に表示させる一方、検出された前記操作者の高さが前記第２範囲より高い第１範囲であるときには、前記操作画面を前記表示部の上部領域に表示させると共に前記第２画面を前記表示部の下部領域に表示させるものである。
【００３４】
このストッカの表示装置では、上述したストッカと同様に、操作者の操作しやすい位置に操作画面が表示され、且つ残りの領域に他の画面が表示されるため、限られた表示部の領域内において操作性を高めつつ情報を提供することができる。なお、この表示装置において、上述したストッカの種々の態様を採用してもよいし、また、上述したストッカの各機能を実現するような構成を追加してもよい。
【産業上の利用可能性】
【００３５】
本開示のストッカ、ストッカの制御方法及び表示装置は、商品をストッカに配送する商品流通システムの技術分野に利用可能である。
【符号の説明】
【００３６】
１０  ストッカシステム、１１  ストッカ、１２  ストッカ管理装置、１３  ネットワーク、２０  納品庫、２１  扉、３０  制御ユニット、３０ａ  本体、３１  前面パネル、３２  制御部、３３  タッチパネル、３４  カードリーダ、３５  コードリーダ、３６  受領印モジュール、３７  カメラモジュール、３８  シリンダ錠、３９  人感センサ、４０  音声ユニット、４２  ＣＰＵ、４３  記憶部、４４  通信部、４５  下部領域、４６  上部領域、４７  中央領域、５０，５０Ｂ  入力画面、５１，５１Ｂ  操作画面、５２，５２Ｂ  第２画面、５３  第３画面、５３Ｂ  宣伝画面、５４  第４画面、５４Ｂ  案内画面、ＭＬ，ＭＭ，ＭＨ  操作者。
【図１】
2020090083.tif 000003
【図２】
2020090083.tif 000004
【図３】
2020090083.tif 000005
【図４】
2020090083.tif 000006
【図５】
2020090083.tif 000007
【図６】
2020090083.tif 000008
【図７】
2020090083.tif 000009
【国際調査報告】
2020090083.tif 000010
2020090083.tif 000011
2020090083.tif 000012
2020090083.tif 000013